(57)【要約】本発明のバックルは、オス部材（１）とメス部材（１ａ）とを備える。前記メス部材は、前記オス部材を重ね合わせるメスベース（２ａ）と、前記メスベースの外周部よりも内側から表方向に突出するメス案内壁部（３２ａ，３３ａ）によって部分的に囲われるメス開口部（４ａ）と、前記メスベースの外周部よりも内側から表方向に突出するメスフック（６ａ）とを備える。前記オス部材は、前記メスベースの外周部の表側に重なり合うと共に前後の前記メス案内壁部を囲む枠状のオスベース（２）と、前記オスベースの内側に形成されると共に連結状態では表側から前記メス部材を視認可能なオス開口部（４）の内側とを接合するオス接合部（８）であってオスフック（６）を互いの表側の部分において操作する弾性変形により前記オスフックを前記メス開口部の内側の部分において前記メスフックから連結解除させる弾性変形を支える前記オス接合部とを備える。
2018131113.tif 000002
【特許請求の範囲】
【請求項１】
連結および連結解除可能なオス部材（１）とメス部材（１ａ）であって且つ連結解除した状態では第１の直線方向（Ｚ）に重ね合せおよび離隔可能であると共に連結状態では前記第１の直線方向（Ｚ）に対して直交する第２の直線方向（Ｘ）を引張方向（Ｘ）とする前記オス部材（１）と前記メス部材（１ａ）とを備え、  前記メス部材（１ａ）は、前記第１の直線方向（Ｚ）を厚み方向とすると共にそのうち一方向の表方向に前記オス部材（１）を重ね合わせるメスベース（２ａ）と、前記第１の直線方向（Ｚ）に対して直交する第３の直線方向（Ｙ）に離隔すると共にメスベース（２ａ）の外周部よりも内側から表方向に突出する前後のメス案内壁部（３２ａ，３３ａ）と、前後の前記メス案内壁部（３２ａ，３３ａ）の間に形成されると共に前後の前記メス案内壁部（３２ａ，３３ａ）によって部分的に囲われるメス開口部（４ａ）と、前記メスベース（２ａ）の外周部よりも内側から表方向に突出するメスフック（６ａ）とを備え、  前記オス部材（１）は、前記メスベース（２ａ）の外周部の表側に重なり合うと共に前後の前記メス案内壁部（３２ａ，３３ａ）を囲む枠状のオスベース（２）と、前記オスベース（２）の内側に形成されると共に連結状態では表側から前記メス部材（１ａ）を視認可能なオス開口部（４）と、紐部材を取り付けるために前記オスベース（２）に設けられるオス取付部（７）と、前記オス開口部（４）の内側において前記メスフック（６ａ）に対して連結および連結解除可能なオスフック（６）であって連結状態では前記メス開口部（４ａ）に対してその内側に配置され、且つ表側に配置されるように前記第１の直線方向（Ｚ）に延長する前記オスフック（６）と、前記オスフック（６）と前記オスベース（２）とを接合すると共に前記オスフック（６）を弾性変形可能に支えるオス接合部（８）であって前記オスフック（６）を前記メス開口部（４ａ）の表側の部分において操作する弾性変形により前記オスフック（６）を前記メス開口部（４ａ）の内側の部分において前記メスフック（６ａ）から連結解除させる弾性変形を支える前記オス接合部（８）とを備えることを特徴とするバックル。
【請求項２】
前記メスフック（６ａ）は、前記第３の直線方向（Ｙ）に離隔する一対のメスフック（６ａ，６ａ）であり、  前記オスフック（６）は、前記第３の直線方向（Ｙ）に離隔すると共に一対の前記メスフック（６ａ，６ａ）に対して連結および連結解除可能な一対のオスフック（６，６）であり、  一対の前記オスフック（６，６）は、前記メス開口部（４ａ）の表側の部分において接近させる弾性変形により前記メス開口部（４ａ）の内側の部分において一対の前記メスフック（６ａ，６ａ）から連結解除させるものであることを特徴とする請求項１に記載のバックル。
【請求項３】
一対の前記オスフック（６，６）は、連結状態では前記メス開口部（４ａ）に対してその内側に配置され、且つ表側に配置されるように前記第１の直線方向（Ｚ）に延長する一対のオスフック本体（６１，６１）と、一対の前記オスフック本体（６１，６１）から互いに離隔する方向に張り出す一対のオス爪（６６，６６）とを備え、  一対の前記メスフック（６ａ，６ａ）は、前記メスベース（２ａ）の外周部よりも内側から表方向に突出すると共に前記第３の直線方向（Ｙ）に離隔する一対のメスフック本体（６１ａ，６１ａ）と、一対の前記オス爪（６６，６６）に対して連結および連結解除可能である一対のメス爪（６６ａ，６６ａ）であって前後の前記メス案内壁部（３２ａ，３３ａ）よりも内側に配置されると共に一対の前記メスフック本体（６１ａ，６１ａ）から互いに接近する方向に張り出す一対の前記メス爪（６６ａ，６６ａ）とを備え、  前後の前記メス案内壁部（３２ａ，３３ａ）と一対の前記メスフック本体（６１ａ，６１ａ）とは同一物であることを特徴とする請求項２記載のバックル。
【請求項４】
一対の前記オスフック（６，６）は、前記第３の直線方向（Ｙ）に離隔すると共に連結状態では前記メス開口部（４ａ）に対してその内側と表側に配置されるように前記第１の直線方向（Ｚ）に延長する一対のオスフック本体（６１，６１）と、一対の前記オスフック本体（６１，６１）から互いに接近する方向に張り出す一対のオス爪（６６，６６）とを備え、  一対の前記メスフック（６ａ，６ａ）は、前後の前記メス案内壁部（３２ａ，３３ａ）よりも内側から表方向に突出すると共に前記第３の直線方向（Ｙ）に離隔する一対のメスフック本体（６１ａ，６１ａ）と、前後の前記メス案内壁部（３２ａ，３３ａ）よりも内側に配置されると共に一対の前記メスフック本体（６１ａ，６１ａ）から互いに離隔する方向に張り出す一対のメス爪（６６ａ，６６ａ）とを備え、  前後の前記メス案内壁部（３２ａ，３３ａ）と一対の前記メスフック本体（６１ａ，６１ａ）とは別物であることを特徴とする請求項２に記載のバックル。
【請求項５】
前記第２の直線方向（Ｘ）と前記第３の直線方向（Ｙ）は直交することを特徴とする請求項２、３または４に記載のバックル。
【請求項６】
前記オス接合部（８）は、一対の前記オスフック本体（６１，６１）を前記第３の直線方向Ｙ）に接合すると共に一対の前記オスフック本体（６１，６１）を弾性変形可能に支えるオスフック支持部（８０）と、前記オスフック支持部（８０）と前記オスベース（２）とを前記第２の直線方向（Ｘ）に接合する接合部本体（８５）とを備えることを特徴とする請求項５に記載のバックル。
【請求項７】
連結状態において前記メスベース（２ａ）と前記オスベース（２）は、前記第３の直線方向（Ｙ）の幅が揃う部分を備えていることを特徴とする請求項１〜６の何れかに記載のバックル。
【請求項８】
前記第２の直線方向（Ｘ）である引張方向（Ｘ）の力に耐えるために衝突可能なメス衝突部（５ａ）とオス衝突部（５）を備え、  前記メス衝突部（５ａ）は、前記メスベース（２ａ）から表方向に突出するものであり、  前記オス衝突部（５）は、前記オスベース（２）の一部であることを特徴とする請求項１〜７の何れかに記載のバックル。
【請求項９】
一対の前記オスフック本体（６１，６１）と前記オス接合部（８）のうち少なくとも一方は、前記オスベース（２）のうち前記メスベース（２ａ）に重ね合わせる裏面よりも、裏側に突出する部分を備えることを特徴とする請求項２〜７の何れかに記載のバックル。
【請求項１０】
前記オスベース（２）と前記メスベース（２ａ）を重ね合わせるときに位置決めをするオス位置決め部（９）とメス位置決め部（９ａ）であって前記オス接合部（８）と前記メスベース（２ａ）に設けられると共に前記第１の直線方向（Ｚ）に抜き差し可能な前記オス位置決め部（９）と前記メス位置決め部（９ａ）を備え、  前記メス位置決め部（９ａ）は、前記メスベース（２ａ）から表方向に突出すると共に前記第１の直線方向（Ｚ）から視て前記メス開口部（４ａ）の範囲内で且つ中心に配置されるものであり、  前記オス位置決め部（９）は、前記接合部（８）の裏面に設けられることを特徴とする請求項２〜７の何れかに記載のバックル。
【発明の詳細な説明】
【技術分野】
【０００１】  本発明は、連結および連結解除可能なオス部材とメス部材とを備えるバックルに関する。
【背景技術】
【０００２】  バックルの一例として、連結および連結解除可能なオス部材とメス部材を備えるものが存在する（特許文献１）。より詳しく言えば、メス部材はその底面において凹んだ凹部と、凹部に通じる一対の係合穴を備えるものとし、オス部材は、凹部に収容されるオス係合部と、一対の係合穴に嵌合する一対の係合ブロックであってオス係合部から突出する一対の係合ブロックを備えるものとなっている。
【先行技術文献】
【特許文献】
【０００３】
【特許文献１】実用新案登録第３１９６２４２号公報
【発明の概要】
【発明が解決しようとする課題】
【０００４】  ところで上記した特許文献１には、凹部をメス部材の底面に形成してあることが記載されている。底面という記載から判断すると、オス部材とメス部材を連結するときには、オス部材を下、メス部材を上という配置関係にしたうえで、バックルの使用者はメス部材の凹部を視ずに、オス部材の係合部にメス部材の凹部を嵌め合わせるように、メス部材をオス部材に接近させることになる。したがってオス部材とメス部材とを連結するときに、使用者からは凹部を視認することができず、操作性が悪い。【０００５】  また仮に配置関係を逆にすると、つまりメス部材を下、オス部材を上という配置関係にすると、バックルの使用者はメス部材の凹部を視て、オス部材をメス部材に接近させることができる。しかし係合部を摘まんでオス部材をメス部材に接近させると、係合部を凹部に嵌め嵌め合わせるときに、指が邪魔になり、嵌め合わせづらく、操作性が悪い。【０００６】  本発明は上記実情を考慮して創作されたもので、その目的はオス部材とメス部材を連結するときの操作性を向上させることである。
【課題を解決するための手段】
【０００７】  本発明のバックルは、連結および連結解除可能なオス部材とメス部材であって且つ連結解除した状態では第１の直線方向に重ね合せおよび離隔可能であると共に連結状態では第１の直線方向に対して直交する第２の直線方向を引張方向とするオス部材とメス部材とを備える。  メス部材は、第１の直線方向を厚み方向とすると共にそのうち一方向の表方向にオス部材を重ね合わせるメスベースと、第１の直線方向に対して直交する第３の直線方向に離隔すると共にメスベースの外周部よりも内側から表方向に突出する前後のメス案内壁部と、前後のメス案内壁部の間に形成されると共に前後のメス案内壁部によって部分的に囲われるメス開口部と、メスベースの外周部よりも内側から表方向に突出するメスフックとを備える。  オス部材は、メスベースの外周部の表側に重なり合うと共に前後のメス案内壁部を囲む枠状のオスベースと、オスベースの内側に形成されると共に連結状態では表側からメス部材を視認可能なオス開口部と、紐部材を取り付けるためにオスベースに設けられるオス取付部と、オス開口部の内側においてメスフックに対して連結および連結解除可能なオスフックであって連結状態ではメス開口部に対してその内側に配置され、且つ表側に配置されるように第１の直線方向に延長するオスフックと、オスフックとオスベースとを接合すると共にオスフックを弾性変形可能に支えるオス接合部であってオスフックをメス開口部の表側の部分において操作する弾性変形によりオスフックをメス開口部の内側の部分においてメスフックから連結解除させる弾性変形を支えるオス接合部とを備える。【０００８】  メスフックとオスフックは１つであるか否かを問わないが、次のようにすることが連結解除の操作性の向上には望ましい。  すなわちメスフックは、第３の直線方向に離隔する一対のメスフックであり、オスフックは、第３の直線方向に離隔すると共に一対のメスフックに対して連結および連結解除可能な一対のオスフックである。そして一対のオスフックは、メス開口部の表側の部分において接近させる弾性変形によりメス開口部の内側の部分において一対のメスフックから連結解除させるものである。【０００９】  一対のオスフックと一対のメスフックのより具体的な構成としては、以下の１）、２）が例示される。  １）一対のオスフックは、第３の直線方向に離隔すると共に連結状態ではメス開口部に対してその内側と表側に配置されるように第１の直線方向に延長する一対のオスフック本体と、一対のオスフック本体から互いに離隔する方向に張り出す一対のオス爪とを備える。一対のメスフックは、メスベースの外周部よりも内側から表方向に突出すると共に第３の直線方向に離隔する一対のメスフック本体と、一対のオス爪に対して連結および連結解除可能である一対のメス爪であって一対のメス案内壁部よりも内側に配置されると共に一対のメスフック本体から互いに接近する方向に張り出す一対のメス爪とを備え、一対のメス案内壁部と一対のメスフック本体とは同一物である。【００１０】  ２）一対のオスフックは、第３の直線方向に離隔すると共に連結状態ではメス開口部に対してその内側と表側に配置されるように第１の直線方向に延長する一対のオスフック本体と��一対のオスフック本体から互いに接近する方向に張り出す一対のオス爪とを備える。一対のメスフックは、一対のメス案内壁部よりも内側から表方向に突出すると共に第３の直線方向に離隔する一対のメスフック本体と、一対のメス案内壁部よりも内側に配置されると共に一対のメスフック本体から互いに離隔する方向に張り出す一対のメス爪とを備え、一対のメス案内壁部と一対のメスフック本体とは別物である。【００１１】  また第２の直線方向と第３の直線方向との関係は問わないが、連結解除するときに一対のオスフックを摘まむ操作性を向上するには次のようにすることが望ましい。  すなわち第２の直線方向と第３の直線方向は直交することである。【００１２】  またオス接合部のより具体的な構成としては、以下の例がある。  すなわち、オス接合部は、一対のオスフック本体を第３の直線方向に接合すると共に一対のオスフック本体を弾性変形可能に支えるオスフック支持部と、オスフック支持部とオスベースとを第２の直線方向に接合する接合部本体とを備えるものである。【００１３】  またメスベースとオスベースは、第３の直線方向の幅を問わないが、連結するときの操作性を向上させるには次のようにすることが望ましい。  すなわち連結状態においてメスベースとオスベースは、第３の直線方向の幅が揃う部分を備えていることである。【００１４】  またバックルは、引張方向の力に耐える構成が望ましい。  すなわちバックルは、第２の直線方向である引張方向の力に耐えるために衝突可能なメス衝突部とオス衝突部を備え、メス衝突部は、メスベースから表方向に突出するものであり、オス衝突部は、オスベースの一部である。【００１５】  また一対のオスフック本体とオス接合部と、オスベースのうちメスベースに重ね合わせる裏面との関係は、問わないが、連結するときの操作性を向上させるには次のようにすることが望ましい。  すなわち一対のオスフック本体とオス接合部のうち少なくとも一方は、オスベースのうちメスベースに重ね合わせる裏面よりも、裏側に突出する部分を備えることである。【００１６】  またオス接合部とメスベースとの関係は問わないが、オス部材とメス部材との連結状態を安定させ、連結強度を向上させるには次のようにすることが望ましい。  すなわちオス部材とメス部材は、オスベースとメスベースを重ね合わせるときに位置決めをするオス位置決め部とメス位置決め部であってオス接合部とメスベースに設けられると共に第１の直線方向に抜き差し可能なオス位置決め部とメス位置決め部を備えるものとするメス位置決め部は、メスベースから表方向に突出すると共に第１の直線方向から視てメス開口部の範囲内で且つ中心に配置されるものである。オス位置決め部は、接合部の裏面に設けられるものである。
【発明の効果】
【００１７】  本発明のバックルは、オス部材とメス部材を連結するときに、オス開口部からメス部材を視認可能であると共に、オス部材の枠状のオスベースを摘まむことができるので、連結するときの操作性が向上する。【００１８】  一対のメスフックと一対のオスフックを備えるバックルによれば、オス部材とメス部材とを連結解除するときに、一対のオスフックをメス開口部の表側の部分において接近させる操作、つまり一対のオスフックを挟む操作をすることにより、一対のオスフックを一対のメスフックから連結解除できるので、連結解除し易い。【００１９】  第２の直線方向と第３の直線方向が直交するバックルによれば、バックルの引張り方向と一対のオスフックを挟む方向とが直交するので、連結解除するときに一対のオスフックを摘まむ操作性が向上する。【００２０】  連結状態においてメスベースとオスベースに第３の直線方向の幅が揃う部分を備えているバックルによれば、メスベースとオスベースの当該揃う部分を指で挟めば、第１の直線方向の位置決めがし易くなり、連結するときの操作性が向上する。【００２１】  一対のオスフック本体とオス接合部のうち少なくとも一方がオスベースのうちメスベースに重ね合わせる裏面よりも裏側に突出する部分を備えるバックルによれば、オス部材とメス部材を連結するときに、メス開口部に当該突出する部分を差し込むことにより、オス部材とメス部材の大まかな位置決めができるので、連結するときの操作性が向上する。【００２２】  オス接合部とメスベースに第１の直線方向に抜き差し可能なオス位置決め部とメス位置決め部を備えるバックルによれば、接合部がメスベースに位置決めされるので、オス部材とメス部材との連結状態が安定し、連結強度が向上する。
【図面の簡単な説明】
【００２３】
【図１】本発明の第一実施形態のバックルを示す分解斜視図である。
【図２】第一実施形態のバックルを示す平面図である。
【図３】第一実施形態のバックルを示す下面図である。
【図４】第一実施形態のバックルを示す正面図である。
【図５】図２のV−V線断面図である。
【図６】図２のVI−VI線断面図である。
【図７】メス部材を示す平面図である。
【図８】メス部材を示す正面図である。
【図９】メス部材を示す右側面図である。
【図１０】図７のX−X線断面図である。
【図１１】図７のXI−XI線断面図である。
【図１２】オス部材を示す平面図である。
【図１３】オス部材を示す正面図である。
【図１４】オス部材を示す左側面図である。
【図１５】オス部材を示す下面図である。
【図１６】図１２のXVI−XVI線断面図である。
【図１７】図１２のXVII-XVII線断面図である。
【図１８】図１２のXVIII−XVIII線断面図である。
【図１９】図１２のXIX-XIX線断面図である。
【図２０】本発明の第二実施形態のバックルを示す分解斜視図である。
【図２１】第二実施形態のバックルを示す平面図である。
【図２２】図２１のXXII-XXII線断面図である。
【図２３】図２１のXXIII-XXIII線断面図である。
【図２４】メス部材の平面図である。
【図２５】メス部材の正面図である。
【図２６】図２４のXXVI-XXVI線断面図である。
【図２７】図２４のXXVII-XXVII線断面図である。
【図２８】オス部材の平面図である。
【図２９】オス部材の平面図である。
【図３０】図２８のXXX-XXX線断面図である。
【図３１】図２８のXXXI-XXXI線断面図である。
【発明を実施するための形態】
【００２４】  本発明の第一実施形態のバックルは図１〜６に示すように、連結および連結解除可能なオス部材１とメス部材１ａとを備える。また本発明の第一実施形態のバックルは、連結解除した状態ではオス部材１とメス部材１ａが第１の直線方向Ｚに重ね合せ及び離隔可能であると共に、連結状態では第１の直線方向Ｚに対して直交する第２の直線方向Ｘをオス部材１とメス部材１ａに対する引張り方向Ｘとするものである。また本発明の第一実施形態のバックルは、連結状態から連結解除状態にするときに、メス部材１ａに対して挟む操作をするものである。この挟むときの直線方向Ｙを第３の直線方向Ｙとする。
【００２５】  オス部材１とメス部材１ａは、それぞれ例えば弾性変形可能な樹脂材料で成型された一体の成型品である。またオス部材１とメス部材１ａは、アンダーカットのない成型品であり、金型の製造を容易にするものである。なお金型の型開き方向は、第１の直線方向Ｚである。
【００２６】  第２の直線方向Ｘと第３の直線方向Ｙは、同一方向であるか異なる方向であるかを問わないが、好ましくは異なる方向、つまり交差する方向であり、本実施形態では直交する方向である。従って本実施形態では第１〜第３の直線方向Ｙは、互いに直交するものである。以後の説明において方向を次のように定める。  第１の直線方向Ｚは、重ね合わせ方向Ｚまたは表裏方向Ｚと言う。表方向とは、図２を基準にして紙面に直交する方向のうち手前側を向く方向である。裏方向とは図２を基準にして紙面に直交する方向のうち奥側を向く方向である。  第２の直線方向Ｘは、引張方向Ｘまたは左右方向Ｘと言う。左方向とは図２を基準にして左方向であり、右方向とは図２を基準にして右方向である。  第３の直線方向Ｙは、挟む方向Ｙまたは前後方向Ｙと言う。前方向とは図２を基準にして下方向である。後方向とは図２を基準にして上方向である。
【００２７】  オス部材１とメス部材１ａは、互いに対応する部分と、対応しない部分を備えるものである。そしてオス部材１とメス部材１ａは対応する部分に関して主たる部分として、重ね合わせ及び連結解除可能なオスベース２とメスベース２ａと、オスベース２とメスベース２ａを重ね合わせるときに位置決めをする第１のオス位置決め部３と第１のメス位置決め部３ａであってオスベース２とメスベース２ａのうち少なくともメスベース２ａから表側に突出すると共に第１の直線方向Ｚから視て枠状であって且つ口径方向（枠が縮小および拡大する方向）の内側と外側に別々に配置される第１のオス位置決め部３と第１のメス位置決め部３ａと、第１のメス位置決め部３ａと第１のオス位置決め部３の内側においてそれぞれ第１の直線方向Ｚに開口するオス開口部４とメス開口部４ａと、引張方向Ｘの力に耐えるために衝突可能なオス衝突部５とメス衝突部５ａであってオスベース２とメスベース２ａに対して設けられるオス衝突部５とメス衝突部５ａと、互いに連結および連結解除可能な一対のオスフック６，６と一対のメスフック６ａ，６ａであって連結状態において第１の直線方向Ｚから視てオス開口部４の内側に配置される一対のオスフック６，６と一対のメスフック６ａ，６ａと、別々の紐部材を取り付けるオス取付部７とメス取付部７ａであってオスベース２とメスベース２ａに設けられるオス取付部７とメス取付部７ａとを備える。  一方、対応しない部分に関してオスベース２は、一対のオスフック６，６をオスベース２に接合するオス接合部８を備える。
【００２８】  またオス部材１とメス部材１ａは、対応する部分に関して上記した主たる部分の他に、オスベース２とメスベース２ａを重ね合わせるときに位置決めをする第２のオス位置決め部９と第２のメス位置決め部９ａであってオス接合部８とメスベース２ａに設けられると共に第１の直線方向Ｚに抜き差し可能な第２のオス位置決め部９と第２のメス位置決め部９ａとを備える。以下、オス部材１とメス部材１ａの詳細について説明する。
【００２９】  メス部材１ａは図７〜１１に示すように、第１の直線方向Ｚを厚み方向とする板状のメスベース２ａと、メスベース２ａの枠状の外周部よりも内側から表方向に突出すると共に枠状の第１のメス位置決め部３ａと、第１のメス位置決め部３ａにおける枠状の内側に形成されるメス開口部４ａと、メスベース２ａから表方向に突出すると共に第１の直線方向Ｚから視てメス開口部４ａの範囲内に配置される第２のメス位置決め部９ａと、メスベース２ａの外周部よりも内側から表方向に突出する一対のメスフック６ａ，６ａであって挟む方向Ｙに離隔する一対のメスフック６ａ，６ａと、メスベース２ａに設けられる（から枠状の外側に突出する）メス取付部７ａと、メスベース２ａから表方向に突出するメス衝突部５ａを備える。
【００３０】  メスベース２ａは、重ね合わせ方向Ｚから視て、外周がほぼ矩形状である。またメスベース２ａは板状である。より詳しく言えばメスベース２ａは、前後左右のメス辺部２１ａ，２２ａ，２３ａ，２４ａを備える枠状のメス外板部２５ａと、前後のメス辺部２１ａ，２２ａの前後方向Ｙにおける中間部の間を接合する内板部２６ａとを備える。
【００３１】  メス外板部２５ａは、前後の面における左右方向Ｘの中間部に、凹んだ凹部２７ａを備えている。第１の直線方向Ｚから視ると、各凹部２７ａは円弧状に凹むと共に、円弧長の中間部において最も凹んでいる。  メス外板部２５ａの厚みは、内板部２６ａの厚みよりも厚い。またメス外板部２５ａと内板部２６ａの裏面は、同一の平面に位置するものである。従ってメス外板部２５ａの表面は、内板部２６ａの表面よりも表方向に突出している。  内板部２６ａの表面から表方向に突出するのが、第２のメス位置決め部９ａである。
【００３２】  第２のメス位置決め部９ａは、先細り形状であって、より詳しく言えば表側に向かうにつれて前後方向Ｙの幅が狭くなると共に、前後対称的に前面と後面を傾斜させた形状である。
【００３３】  第１のメス位置決め部３ａは、前後左右を包囲する枠状であって、前後左右のメス案内壁部３２ａ，３３ａ，３４ａ，３５ａを備える。そして前後のメス案内壁部３２ａ，３３ａの間には、前述したメス開口部４ａが形成されると共に、前後のメス案内壁部３２ａ，３２ｂによってメス開口部４ａが部分的に（その前後を）囲まれている。また本実施形態では前後左右のメス案内壁部３２ａ，３３ａ，３４ａ，３５ａの間にメス開口部４ａが形成され、前後左右のメス案内壁部３２ａ，３３ａ，３４ａ，３５ａによってメス開口部がその全周を囲まれている。  また前後の案内壁部３２ａ，３３ａは、本実施形態では、一対のメスフック６ａ，６ａの一部（後述の一対のメスフック本体６１ａ）でもある。つまり前後の案内壁部３２ａ，３３ａと一対のメスフック本体６１ａとは同一物である。  第１のメス位置決め部３ａは、表側から視ると、矩形状であり、その外径が表側に向かうにつれて狭くなる形状である。また第１のメス位置決め部３ａは、その四隅の外周面を円弧状に膨らむ曲面（丸く面取りしたかのような曲面）にしてある。また前後左右のメス案内壁部３２ａ，３３ａ，３４ａ，３５ａ外周面は何れも表方向に向かうにつれてメス開口部４ａの中心部側へ向かうように傾斜しており、オス部材１のオス開口部４を案内し易くしてある。前後のメス案内壁部３２ａ，３３ａの内周面も表方向に向かうにつれてメス開口部４ａの中心側へ向かうように第１の直線方向Ｚに対して傾斜している。一方、左右のメス案内壁部３４ａ，３５ａの内周面は、第１と第３の直線方向Ｚ，Ｙに平行である。なお前後左右のメス案内壁部３２ａ，３３ａ，３４ａ，３５ａにおける表方向の先部は、表方向に向かって円弧状に膨らむ曲面にしてあり、オス部材１のオス開口部４を案内し易くしてある。
【００３４】  一対のメスフック６ａ，６ａは、第３の直線方向Ｙに離隔する一対のメスフック本体６１ａ，６１ａと、一対のメスフック本体６１ａ，６１ａの対向面から互いに接近する方向に張り出す一対のメス爪６６ａ，６６ａを備える。
【００３５】  一対のメスフック本体６１ａ，６１ａは、前後のメス案内壁部３２ａ，３３ａを兼用するもので、それゆえメスベース２ａの外周部よりも内側から表方向に突出している。
【００３６】  メス爪６６ａは、メスフック本体６１ａ（より詳しくはメスフック本体６１ａの表方向の先部）の左右方向Ｘの全長に亘って形成される。また一対のメスフック６ａ，６ａは、前後のメスフック本体６１ａ，６１ａ（前後のメス案内壁部３２ａ，３３ａ）から互いに接近する方向に張り出すものなので、前後のメス案内壁部３２ａ，３３ａよりも内側に配置される。  前側のメス爪６６ａの外面６６ａ−１は後面であり、後側のメス爪６６ａの外面６６ａ−１は前面である。そして前後のメス爪６６ａ，６６ａの外面６６ａ−１，６６ａ−１は、互いに傾斜面である。一対のメス爪６６ａ，６６ａの傾斜面６６ａ−１，６６ａ−１は、互いの間隔が裏方向に向かうにつれて狭くなるものである。
【００３７】  メス取付部７ａは、メスベース２ａの外周から、より詳しくはメスベース２ａの外周のうち引張方向Ｘの一方側（図では左側）から、その外側に突出するものである。第１の直線方向Ｚから視ると、メス取付部７ａは、矩形の三辺に沿う形状である。またメス取付部７ａは、前後に離隔する一対のメス腕部７１ａ，７１ａであってメスベース２ａのメス外板部２５ａの左右側面の一方における前後端部から側方に延長する一対のメス腕部７１ａ，７１ａと、紐部材を止めるメス止め部７５ａであって一対のメス腕部７１ａ，７１ａの先部間をメス外板部２５ａとは左右に間隔をあけて接合するメス止め部７５ａとを備える。
【００３８】  一対のメス腕部７１ａ，７１ａは、裏面をメスベース２ａの裏面と同一平面上に位置するものとし、表面をメスベース２ａの表面よりも表方向に突出すると共に、第１のメス位置決め部３ａの表面（最も表側の頂部）よりも裏側に位置するものとしてある。より詳しく言えば、第１のメス位置決め部３ａと一対のメス腕部７１ａ，７１ａとの対向面は、メス部材１ａとオス部材１とを連結するときに互いを位置決めし易くするために、オスベース２を案内する面となっている。前述したように第１の直線方向Ｚから視て、第１のメス位置決め部３ａはほぼ矩形状で、その外周面の四隅を円弧状に膨らむ曲面にしてあり、それに対応させてメス腕部７１ａの対向面（第１のメス位置決め部３ａの隅に対向する面）７２ａは円弧状に凹む曲面にしてある。なお円弧状に膨らむ曲面と円弧状に凹む曲面７２ａの半径の中心点は同じである。また円弧状に凹む曲面７２ａは表方向に向かうにつれて円弧長さが短くなっている曲面である。
【００３９】  メス止め部７５ａは、メス腕部７１ａの表面よりも裏方向に凹むと共に、メス腕部７１ａの裏面よりも表方向に凹んでいる。これらの凹む位置関係により、メス止め部７５ａに止められた紐部材がメス腕部７１ａよりも表面や裏面に配置されないようにしてある。
【００４０】  メス衝突部５ａは前後方向に延長する板である。また表方向の先端の位置に関して、メス衝突部５ａは、第１のメス案内部よりも裏側に位置するものとなっている。このようなメス部材１ａに連結及び連結解除可能なのが、オス部材１である。
【００４１】  オス部材１は図１２〜１９に示すように、枠状で且つ第１の直線方向Ｚを厚み方向とするオスベース２と、オスベース２の内周部および当該内周部から表方向に突出すると共に枠状の第１のオス位置決め部３と、第１のオス位置決め部３の内側に形成されるオス開口部４であって連結状態ではオス部材１の表側からメス部材１ａを視認可能なオス開口部４と、オス開口部４の内側において挟む方向Ｙに離隔する一対のオスフック６，６と、一対のオスフック６，６を弾性変形可能に支えると共に一対のオスフック６，６とオスベース２とを接合するオス接合部８と、オスベース２に設けられるオス取付部７と、オス接合部８の裏面に設けられる第２のオス位置決め部９と、オスベース２に設けられるオス衝突部５を備える。
【００４２】  オスベース２は、枠状であり、連結状態ではメスベース２ａのメス外板部２５ａの表側に重なり合うと共に第１のメス位置決め部３ａの一部（裏側の端部）をまとめて囲むものである。  オスベース２は、重ね合わせ方向Ｚから視て、外周がほぼ矩形状であり、その四隅の外周面のうちオス取付部７とは反対側の二隅を円弧状に膨らむ曲面にしてある。またオスベース２は、前後左右のオス辺部２１，２２，２３，２４を備えるものである。  オスベース２は、メスベース２ａと同様に、前後の面における左右方向Ｘの中間部に、凹んだ凹部２７を備えている。第１の直線方向Ｚから視ると、各凹部２７は円弧状に凹むと共に、円弧長の中間部において最も凹んでいる。またオス部材１とメス部材１ａの連結状態において、第１の直線方向Ｚから視て、オスベース２とメスベース２ａは、前面と後面において凹部２７，２７ａが揃っている。つまり連結状態においてオスベース２とメスベース２ａは、互いの左右方向Ｘの中間部において挟む方向Ｙの幅が揃う部分を備えている。  オスベース２の内側には、オス開口部４の一部（裏側の端部）が形成される。
【００４３】  第１のオス位置決め部３の内周の口径は、その内側に配置される第１のメス位置決め部３ａの内周の口径に対応させて、表側に向かうにつれて狭まるものである。また第１のオス位置決め部３は、オスベース２の内周部と、オスベース２の内周部から表方向に突出する第１のオス案内部３１と、第１のオス案内部３１の表方向の端部から内側に張り出す張出部３０を備える。
【００４４】  第１のオス案内部３１は、前後左右を包囲する枠状であって、前後左右のオス案内壁部３２，３３，３４，３５を備える。これら前後左右のオス案内壁部３２，３３，３４，３５の内側にはオス開口部４の一部（表側部分）が形成される。  第１のオス案内部３１は、表側から視ると、矩形状であり、その四隅の外周面のうちオス取付部７とは反対側の二隅を円弧状に膨らむ曲面にしてある。また前後と左のオス案内壁部３２，３３，３４の外周面と内周面は何れも表方向に向かうにつれてオス開口部４の中心部側へ向かうように傾斜している。右のオス案内壁部３５と右のオス辺部２４とは共同して、前後方向Ｙに延長する一枚の板状となり、その内周面と外周面を引張方向Ｘに直交する平面としてある。また本実施形態では右のオス案内壁部３５と右のオス辺部２４とは共同して、オス衝突部５を形成する。つまりオス衝突部５は、右のオス辺部（オスベース２の一部）２４を兼用している。
【００４５】  張出部３０は、第１のオス案内部３１の表方向の端部の四隅から内側にそれぞれ張り出している。連結状態において４つの張出部３０は、第１のメス位置決め部３ａの表面側の四隅を重なり合うようにして覆う。張出部３０は、一対のオスフック６が互いに離隔する方向に広がったときに、オスフック６に接触して、それ以上の移動（広がり）を阻止し、これによりオスフック６が折れるなどの破壊を防止することができる。
【００４６】  一対のオスフック６，６は、前後方向Ｙに離隔する一対のオスフック本体６１，６１と、一対のオスフック本体６１，６１から互いに離隔する方向に張り出す一対のオス爪６６，６６を備える。
【００４７】  一対のオスフック本体６１，６１は、重ね合わせ方向Ｚから視てオス開口部４の内側、より詳しく言えば第１のオス位置決め部３の内周面よりも内側に間隔をあけて配置されると共に、オス開口部４を貫通するように重ね合わせ方向Ｚに延長している。オスフック本体６１は、挟む方向Ｙを厚み方向とする平板状で、挟む方向Ｙから視て、オス開口部４に対して表側の部分を指で操作する操作部６２とし、操作部６２よりも裏側の部分を操作部６２の変位を伝達する伝達部６４とする。
【００４８】  操作部６２は、挟む方向Ｙから視て、伝達部６４よりも引張方向Ｘの両方向（左右方向Ｘ）に張り出す幅広い矩形状である。また操作部６２は、引張方向Ｘの中間部と、当該中間部に対して引張方向Ｘに間隔をあけた両端部に、前または後のオス案内壁部３２，３３に向かって突出する３つの突起部６３，６３，６３を備えている。
【００４９】  伝達部６４は、その前後方向の外面（連結状態において、前または後のメス案内壁部３２，３３に対向する面）から、より詳しく言えばその外面における裏面側の部分から、オス爪６６を張り出している。  また伝達部６４は、挟む方向Ｙから視て、裏面の左右方向Ｘ中間部において表方向に凹む伝達凹部６５を備える。
【００５０】  前側のオス爪６６は前側のオス案内壁部３２よりも後側に配置され、後側のオス爪６６は後側のオス案内壁部３３よりも前側に配置される。したがって一対のオス爪６６，６６は、オス案内壁部よりも内側に（前後方向に間隔をあけて）配置される。  オス爪６６は、伝達凹部６５に対して左右に離隔して配置される左オス爪６７と右オス爪６８を備える。左オス爪６７と右オス爪６８の前後方向Ｙの外面６７−１，６８−１は、前または後のメス案内壁部３２，３３に対向する面であり、傾斜面である。また左オス爪６７と右オス爪６８の傾斜面６７−１，６８−１は、オス爪６６の傾斜面６６−１である。そして一対のオス爪６６，６６の傾斜面６６−１，６６−１は、互いの距離が表方向に向かうにつれて離隔するものである。  またオス爪６６の表面は、オス開口部４に対しては上下方向の中間部に配置され、オスベース２よりも表側に配置されている。オス爪６６の表面６６−２は、メス爪６６ａの裏面６６ａ−２と対向する面であり、オス部材１とメス部材１ａの連結状態を確保する面である。
【００５１】  オス接合部８は、連結状態において、一対のオスフック本体６１，６１を挟む方向Ｙに接合すると共に一対のオスフック本体６１，６１を弾性変形可能に支えるオスフック支持部８０と、オスフック支持部８０とオスベース２とを引張方向Ｘに接合する接合部本体８５とを備える。
【００５２】  接合部本体８５は、左側のオス案内壁部３４から表方向に突出する左接合部８６と、右側のオス案内壁部３５から表方向に突出する右接合部８７と、左接合部８６と右接合部８７を互いの表方向の端部であって且つ前後方向Ｙの中間部で接合する中接合部８８と、中接合部８８の左右方向Ｘの中間部から裏方向に垂下する垂下部８９とを備える。  左接合部８６は、左側のオス案内壁部３４と左側のオス辺部２３と共同して一枚の板状になり、表方向に向かうにつれて右側へ向かうように傾斜している。  右接合部８７は、右側のオス案内壁部３５と左側のオス辺部２４と共同して一枚の板状になり、前後方向Ｙに延長する一枚の板状となり、その内周面と外周面を引張方向Ｘに直交する平面としてある。  垂下部８９の裏面には第２のオス位置決め部９が形成される。
【００５３】  第２のオス位置決め部９は、垂下部８９の裏面に対して表側に凹むものであり、第２のメス位置決め部９ａを嵌め込むものである。つまり第２のオス位置決め部９の内面は、第２のメス位置決め部９ａの外面よりも僅かに大きな形状であって、より詳しく言えば表側に向かうにつれて前後方向Ｙの幅が狭くなると共に、前後対称的に前面と後面を傾斜させた形状である。
【００５４】  オスフック支持部８０は、裏側から視てＨ字状であり、前後に離れる２つの左オス爪６７，６７の近傍において前後のオスフック本体６１，６１を接合する左支持部８１と、前後に離れる２つの右オス爪６８，６８の近傍において前後のオスフック本体６１，６１を接合する右支持部８２と、左支持部８１と右支持部８２を互いの前後方向の中間部で接合する中支持部８３とを備える。左支持部８１と右支持部８２は垂下部８９と直交し、中支持部８３は垂下部８９の裏側の端部でもある。  左支持部８１と右支持部８２は、前後方向に延長するものであり、中支持部８３は左右方向Ｘに延長するものである。  左支持部８１と右支持部８２と垂下部８９と一対のオスフック本体６１，６１の伝達部６３，６３の各裏面は、いずれもオスベース２の裏面よりも裏側に突出している。
【００５５】  オス取付部７は、オスベース２の外周から、より詳しくはオスベース２の外周のうち引張方向Ｘの他方側（メスベース２ａに対するメス取付部７ａの配置とは反対側、図では右側）から、その外側に突出するものである。重ね合わせ方向Ｚから視ると、オス取付部７は、梯子状である。またオス取付部７は、前後に離隔する一対のオス腕部７１，７１であってオスベース２の左右側面の一方における前後端部から側方に延長する一対のオス腕部７１，７１と、紐部材を止めるオス止め部７５であってオスベース２とは側方に間隔をあけて一対のオス腕部７１，７１の間を接合する複数のオス止め部７５と、オス接合部８の右接合部８７から張り出すように一対のオス腕部７１，７１の間を接合する補強部７６とを備える。
【００５６】  オス腕部７１は、オスベース２から離れた方の端部をオスベース２に近い方の端部に比べて裏側に突出する形状である。オス腕部７１は板状であり、自身の厚み方向と挟む方向Ｙとが一致するものである。  一対のオス腕部７１，７１の裏面をオスベース２の裏面よりも裏側に位置するものとし、連結状態においてメスベース２ａの裏面とほぼ同じ平面上に位置するものとしてある。  オス腕部７１はその表面をオスベース２の表面よりも表方向に突出すると共に、第１のオス位置決め部３の表面（最も表側の頂部）よりも表側であって且つオス接合部８の表面（最も表側の頂部）よりも裏側に位置するものとしてある。
【００５７】  オス止め部７５は、オス腕部７１の表面よりも裏方向に凹むと共に、オス腕部７１の裏面よりも表方向に凹んでいる。これらの凹む位置関係により、オス止め部７５に巻かれた紐部材がオス腕部７１よりも表面や裏面に配置されないようにしてある。
【００５８】  上記した第一実施形態のバックルは、オス部材１とメス部材１ａを連結するために接近させると、オス爪６６がメス爪６６ａに衝突して、オスフック本体６１が弾性変形してオスフック支持部８０を支点としてオス開口部４の中心部側に移動する。さらにオス部材１とメス部材１ａを接近させると、オス爪６６がメス爪６６ａに対してちょうど表側の位置よりもオス開口部４の中心側に移動し、最終的にはオス爪６６がメス爪６６ａよりも裏側に移動して、オスフック本体６１が復元力によって元の形状に戻り、オス爪６６がメス爪６６ａの裏側に配置されると共に、一対のオスフック６，６と一対のメスフック６ａ，６ａが連結され、メスベース２ａとオスベース２とが重なり合う。またメスベース２ａから突出する第２のオス位置決め部９と、接合部８の裏面において凹む第２のメス位置決め部９ａとが嵌合し、接合部８がメスベース２ａに位置決めされるので、オス部材１とメス部材１ａとの連結状態が安定し、連結強度が向上する。
【００５９】  上記した第一実施形態のバックルは、オス部材１とメス部材１ａを連結した状態から連結解除するために一対のオスフック６，６の操作部６２，６２を挟んで接近させると、オスフック本体６１が弾性変形してオスフック支持部８０を支点としてオス開口部４の中心部側に移動して、オス爪６６がメス爪６６ａ対してちょうど裏側の位置よりもオス開口部４の中心側に移動し、一対のオスフック６，６と一対のメスフック６ａ，６ａが連結解除される。さらにオス部材１をそのまま表側に移動させると、オス爪６６がメス爪６６ａよりも表側に移動する。そこで一対のオスフック６，６の操作部６２，６２から指を離すと、オスフック本体６１が復元力によって元の形状に戻る。
【００６０】  上記した第一実施形態のバックルは、オス部材１とメス部材１ａを連結するときの操作性が、以下１）〜４）の理由により向上する。  １）第一実施形態のバックルは、オス開口部４からメス部材１ａを視認可能であると共に、オス部材１の枠状のオスベース２を摘まむことができる。  ２）第一実施形態のバックルは、連結状態においてメスベース２ａとオスベース２に重ね合わせ方向Ｚの幅が揃う部分（凹部２７，２７ａ）を備えているので、連結するときにメスベース２ａとオスベース２の当該揃う部分を指で挟めば、オス部材１とメス部材１ａとの第１の直線方向Ｚの位置決めがし易くなる。しかもメスベース２ａの凹部２７ａとオスベース２の凹部２７は、連結状態において最も凹む部分が一致するように重ね合わせ方向Ｚから視て円弧状に形成されているので、オス部材１とメス部材１ａとの引張方向Ｘの位置決めがし易くなる。  ３）第一実施形態のバックルは、一対のオスフック本体６１，６１の裏側の端部とオス接合部８の裏側の端部がオスベース２の裏面よりも裏側に突出する部分になるので、オス部材１とメス部材１ａを連結するときに、メス開口部４ａに当該突出する部分を差し込むことにより、オス部材１とメス部材１ａの大まかな位置決めができる。  ４）しかも第一実施形態のバックルは、メス開口部４ａに当該突出する部分を差し込んだ後、そのままオス開口部４の内側（第１のオス位置決め部３の裏側の端部）に第１のメス位置決め部３ａの表側の端部を差し込むことにより、オス部材１とメス部材１ａとが正確に位置決めされる。  なお連結状態を表側から視たときに、オス開口部４の内側に前後と左側のメス案内壁部３２ａ，３３ａ，３４ａが配置されていることを視認できる。
【００６１】  また第一実施形態のバックルは、オス部材１とメス部材１ａを分離するときの操作性が、以下１）〜２）の理由により向上する。  １）第一実施形態のバックルは、引張方向Ｘと挟む方向Ｙとが直交するので、引張方向Ｘと挟む方向Ｙとが一致する場合に比べて、一対のオスフック６，６を摘まむ操作性が向上する。  ２）第一実施形態のバックルは、オス衝突部５とメス衝突部５ａを備えているので、連結状態において引張方向Ｘの力が加わったときに、オス衝突部５とメス衝突部５ａとが衝突して引張力に耐え、その結果、一対のオスフック６，６を接近するように挟む操作に引張力が影響しない。
【００６２】  本発明の第二実施形態のバックルは図２０〜２３に示すように、一対のオスフック６，６と一対のメスフック６ａ，６ａ、オス接合部８において、第一実施形態のバックルとは相違する。相違点の要点は、一対のオスフック６，６のオス爪６６，６６と一対のメスフック６ａ，６ａのメス爪６６ａ，６６ａの向きが前後逆になっており、オス接合部８が一対のオスフック６，６よりも表側に配置されていることである。以下では、これら相違点を中心に説明する。
【００６３】  一対のメスフック６ａ，６ａは図２４〜２７に示すように、一対のメスフック本体６１ａ，６１ａと一対のメス爪６６ａ，６６ａとを備える点では、第一実施形態と共通するが、一対のメスフック本体６１ａ，６１ａがメスベース２ａの中央部から突出している点と、一対のメス爪６６ａ，６６ａがメスフック本体６１ａ，６１ａの前後方向Ｙの外面から互いに離隔する方向に張り出す点が第一実施形態とは相違する。
【００６４】  一対のメスフック本体６１ａ，６１ａは、メスベース２ａの内板部２６ａの左右方向Ｘ中間部から前後方向Ｙに間隔をあけて表方向に突出するもので、それゆえメスベース２ａの外周部よりも内側から、より詳しく言えば前後のメス案内壁部３２ａ，３３ａよりも内側から表方向に突出している。
【００６５】  一対のメス爪６６ａ，６６ａは、前述したように前後のメスフック本体６１ａ，６１ａから互いに離隔する方向に張り出すものなので、前後のメス案内壁部３２ａ，３３ａと間隔をあけて対向するものである。  一対のメス爪６６ａ，６６ａのうち前側のメス爪６６ａの外面６６ａ−１は前面であり、後側のメス爪６６ａの外面６６ａ−１は後面である。そして前後のメス爪６６ａの外面６６ａ−１，６６ａ−１は、互いに傾斜面である。一対のメス爪６６ａ，６６ａの傾斜面６６ａ−１，６６ａ−１は、互いの距離が裏方向に向かうにつれて長くなるものである。
【００６６】  一対のオスフック６，６は図２８〜３１に示すように、一対のオスフック本体６１，６１と一対のオス爪６６，６６とを備える点では、第一実施形態と共通するが、一対のオス爪６６，６６が一対のオスフック本体６１，６１から互いに離隔する方向に張り出す点が第一実施形態とは相違する。
【００６７】  オスフック本体６１は、前後方向Ｙを厚み方向とする平板状で、前後方向Ｙから視て、表裏方向Ｚと左右方向Ｘに平行な矩形状である。またオスフック本体６１は、オス開口部４に対して表側の部分を指で操作する操作部６２とし、裏側の部分を操作部６２の変位を伝達する伝達部６４とする。
【００６８】  前側のオス爪６６と後側のオス爪６６は前後に間隔をあけて対向する。またオス部材１とメス部材１ａの連結状態においては前側のオス爪６６と後側のオス爪６６の間に一対のメスフック本体６１ａ，６１ａが配置される。
【００６９】  オス爪６６は、第一実施形態と同様に、左オス爪６７と右オス爪６８を備える。左オス爪６７と右オス爪６８の前後方向Ｙの外面６７−１，６８−１は、傾斜面である。また左オス爪６７と右オス爪６８の傾斜面はオス爪６６の傾斜面６６−１である。そして一対のオス爪６６，６６の傾斜面は、互いの距離が表方向に向かうにつれて接近するものである。
【００７０】  オス接合部８は、オスフック支持部８０と接合部本体８５を備える点では、第一実施形態と共通するが、オスフック支持部８０と接合部本体８５の構造の点では、第一実施形態と相違する。
【００７１】  接合部本体８５は、左接合部８６と右接合部８７と中接合部８８を備える点では、第一実施形態と共通するが、左接合部８６と右接合部８７と中接合部８８のみを備える点では、第一実施形態とは相違する。つまり接合部本体８５は、第一実施形態での垂下部８９を備えていない。
【００７２】  オスフック支持部８０は、裏側から視て直線状である点で、第一実施形態と相違する。そしてオスフック支持部８０は、前後に離れる一対のオスフック本体６１，６１を前後左右方向Ｙ，Ｘの中央部で接合するものであると共に、中接合部８８と直交する。
【００７３】  上記した第二実施形態のバックルは、オス部材１とメス部材１ａを連結するために接近させると、オス爪６６がメス爪６６ａに衝突して、オスフック本体６１が弾性変形してオスフック支持部８０を支点として、一対のオスフック本体６１，６１の操作部６２，６２同士が接近すると共に、一対のオスフック本体６１，６１の伝達部６４，６４同士が離隔する。さらにオス部材１とメス部材１ａを接近させると、オス爪６６がメス爪６６ａに対してちょうど表側の位置よりもオス開口部４の外周側に移動し、最終的にはオス爪６６がメス爪６６ａよりも裏側に移動して、オスフック本体６１が復元力によって元の形状に戻り、オス爪６６がメス爪６６ａに対してちょうど裏側に配置されて、一対のオスフック６，６と一対のメスフック６ａ，６ａが連結されると共に、メスベース２ａとオスベース２とが重なり合う。
【００７４】  上記した第二実施形態のバックルは、オス部材１とメス部材１ａを連結した状態から分離するために一対のオスフック６，６の操作部６２，６２を挟んで接近させると、オスフック本体６１が弾性変形してオスフック支持部８０を支点として、一対のオスフック本体６１，６１の伝達部６４，６４同士が離隔し、一対のオスフック６，６と一対のメスフック６ａ，６ａが連結解除される。さらにオス部材１をそのまま表側に移動させると、オス爪６６がメス爪６６ａよりも表側に移動する。そこで一対のオスフック６，６の操作部６２，６２から指を離すと、オスフック本体６１が復元力によって元の形状に戻る。
【００７５】  上記した第二実施形態のバックルは、第一実施形態のバックルと同じ理由により、オス部材１とメス部材１ａを連結するときの操作性が向上すると共に、オス部材１とメス部材１ａを分離するときの操作性が向上するものである。
【００７６】  本発明は上記実施形態に限定されるものではなく、その趣旨を逸脱しない範囲において適宜変更可能である。  例えば第１のメス位置決め部３ａは、本実施形態では、前後左右のメス案内壁部３２ａ，３３ａ，３４ａ，３５ａを備えるものであったが、本発明ではこれに限らず、前後のメス案内壁部３２ａ，３３ａのみを備えるもの、つまり左右のメス案内側壁部３４ａ，３５ａを備えないものであっても良い。  また第１のオス位置決め部３の第１の案内部３１と第１のメス位置決め部３ａとは、本実施形態では第１の直線方向Ｚから視て、いわゆる矩形状であったが、本発明ではこれに限らず、円形状、正多角形状等の他形状であってもよい。なお第１のメス位置決め部が円形状であった場合、前後のメス案内壁部と左右のメス案内壁部との境界が曖昧になる。この場合、円の中心を通過する第２の直線方向Ｘと第３の直線方向Ｙからなる２本の直線を引き、当該２本の直線を円の中心を基準として４５度回転させる。この４５度回転させた２本の直線で仕切られた領域を基準にして前後左右のメス案内壁部を確定する。
【００７７】  またメス部材１ａはメス取付部７ａをメスベース２ａに対して外側に張り出すものとし、メス取付部７ａをメスベース２ａとは外観上明らかに別のものとしてあったが、本発明ではこれに限らず、メスベース２ａをメス取付部７ａとして兼用するものであっても良い。たとえばメスベース２ａの外周部をメス取付部７ａとし、取付対象物に固定する。
【符号の説明】
【００７８】  １  オス部材  ２  オスベース  ２１  前側のオス辺部  ２２  後側のオス辺部  ２３  左側のオス辺部  ２４  右側のオス辺部  ２５  オス外板部  ２７  凹部  ３  第１のオス位置決め部  ３０  張出部  ３１  第１のオス案内部  ３２  前側のオス案内壁部  ３３  後側のオス案内壁部  ３４  左側のオス案内壁部  ３５  右側のオス案内壁部  ４  オス開口部  ５  オス衝突部  ６  オスフック  ６１  オスフック本体  ６２  操作部  ６３  突起部  ６４  伝達部  ６５  伝達凹部  ６６  オス爪  ６６−１  傾斜面  ６６−２  表面  ６７  左オス爪  ６７−１  外面  ６７−２  表面  ６８  右オス爪  ６８−１  外面  ６８−２  表面  ７  オス取付部  ７１  オス腕部  ７５  オス止め部  ７６  補強部  ８  オス接合部  ８０  オスフック支持部  ８１  左支持部  ８２  右支持部  ８３  中支持部  ８５  接合部本体  ８６  左接合部  ８７  右接合部  ８８  中接合部  ８９  垂下部  ９  第２のオス位置決め部  １ａ  メス部材  ２ａ  メスベース  ２１ａ  前側のメス辺部  ２２ａ  後側のメス辺部  ２３ａ  左側のメス辺部  ２４ａ  右側のメス辺部  ２５ａ  メス外板部  ２６ａ  内板部  ２７ａ  凹部  ３ａ  第１のメス位置決め部  ３２ａ  前側のメス案内壁部  ３３ａ  後側のメス案内壁部  ３４ａ  左側のメス案内壁部  ３５ａ  右側のメス案内壁部  ４ａ  メス開口部  ５ａ  メス衝突部  ６ａ  メスフック  ６１ａ  メスフック本体  ６６ａ  メス爪  ６６ａ−１  外面  ６６ａ−２  裏面  ７ａ  メス取付部  ７１ａ  メス腕部  ７２ａ  凹む曲面  ７５ａ  メス止め部  ９ａ  第２のメス位置決め部  Ｘ  第２の直線方向，引張方向，左右方向  Ｙ  第３の直線方向，挟む方向，前後方向  Ｚ  第１の直線方向，重ね合わせ方向，表裏方向
【図１】
2018131113.tif 000003
【図２】
2018131113.tif 000004
【図３】
2018131113.tif 000005
【図４】
2018131113.tif 000006
【図５】
2018131113.tif 000007
【図６】
2018131113.tif 000008
【図７】
2018131113.tif 000009
【図８】
2018131113.tif 000010
【図９】
2018131113.tif 000011
【図１０】
2018131113.tif 000012
【図１１】
2018131113.tif 000013
【図１２】
2018131113.tif 000014
【図１３】
2018131113.tif 000015
【図１４】
2018131113.tif 000016
【図１５】
2018131113.tif 000017
【図１６】
2018131113.tif 000018
【図１７】
2018131113.tif 000019
【図１８】
2018131113.tif 000020
【図１９】
2018131113.tif 000021
【図２０】
2018131113.tif 000022
【図２１】
2018131113.tif 000023
【図２２】
2018131113.tif 000024
【図２３】
2018131113.tif 000025
【図２４】
2018131113.tif 000026
【図２５】
2018131113.tif 000027
【図２６】
2018131113.tif 000028
【図２７】
2018131113.tif 000029
【図２８】
2018131113.tif 000030
【図２９】
2018131113.tif 000031
【図３０】
2018131113.tif 000032
【図３１】
2018131113.tif 000033
【国際調査報告】
2018131113.tif 000034
2018131113.tif 000035
2018131113.tif 000036
2018131113.tif 000037